(57)【要約】  ガラスの質感を生かしながら多様な反射色を表現することが可能な化粧板を提供すること。  ガラス基板と、前記ガラス基板の一方の主面に設けられた第一の干渉層と、前記第一の干渉層の前記ガラス基板とは反対側の表面に設けられた金属層とを備えることを特徴とする化粧板とする。
2018030355.tif 000002
【特許請求の範囲】
【請求項１】
ガラス基板と、
前記ガラス基板の一方の主面に設けられた金属層と、
前記ガラス基板と前記金属層との間に設けられた第一の干渉層とを、備えることを特徴とする化粧板。
【請求項２】
前記第一の干渉層は、１０ｎｍ以上２００ｎｍ以下の幾何学的厚みを有することを特徴とする請求項１に記載の化粧板。
【請求項３】
前記第一の干渉層は、波長５５０ｎｍにおける屈折率が３以上であることを特徴とする請求項１または２に記載の化粧板。
【請求項４】
前記第一の干渉層が、珪素からなることを特徴とする請求項３に記載の化粧板。
【請求項５】
前記第一の干渉層は、１０ｎｍ以上１００ｎｍ以下の幾何学的厚みを有することを特徴とする請求項３または４に記載の化粧板。
【請求項６】
前記第一の干渉層と前記金属層との間に設けられた第二の干渉層をさらに備えることを特徴とする請求項１または２に記載の化粧板。
【請求項７】
前記第二の干渉層は、１０ｎｍ以上２００ｎｍ以下の幾何学的厚みを有することを特徴とする請求項６に記載の化粧板。
【請求項８】
前記第一の干渉層と前記ガラス基板との間に設けられた第三の干渉層をさらに備えることを特徴とする請求項１〜７のいずれか一項に記載の化粧板。
【請求項９】
前記第三の干渉層は、１０ｎｍ以上２００ｎｍ以下の幾何学的厚みを有することを特徴とする請求項８に記載の化粧板。
【請求項１０】
前記金属層が、Ｔｉ、Ｎｂ、Ｎｉ、Ｃｒ及びＡｌからなる群から選ばれた金属、またはＴｉ、Ｎｂ、Ｎｉ、Ｃｒ及びＡｌからなる群から選ばれた１種以上の金属を含む合金からなることを特徴とする請求項１〜９のいずれか一項に記載の化粧板。
【請求項１１】
前記金属層は、５０ｎｍ以上２００ｎｍ以下の幾何学的厚みを有することを特徴とする請求項１〜１０のいずれか一項に記載の化粧板。
【発明の詳細な説明】
【技術分野】
【０００１】
本発明は、家具のパネルや白物家電の扉、筐体、等の化粧板に関する。
【背景技術】
【０００２】
家具のパネルや白物家電の扉、筐体などは、装飾性、耐傷性、加工性またはコスト等の様々な必要事項を考慮し、適宜樹脂、木材または金属等の素材が選択されて用いられている。【０００３】
特許文献１には、家具用板の構成部材としてガラス板の裏面に着色層が設けられてなる表板が開示されている。着色層としては、印刷によって一色又は二色以上の色インキをガラス板の裏面に直接付着させることによって形成されたもの、着色されたプラスチックフィルムや紙、又はアルミニウム箔等をガラス板に接着したもの、アルミニウム等の金属蒸着膜として形成されたものが開示されている。
【先行技術文献】
【特許文献】
【０００４】
【特許文献１】実開昭６１−８６０４７号公報
【発明の概要】
【発明が解決しようとする課題】
【０００５】
しかしながら、特許文献１に記載の構成で化粧板を作製し、白物家電の扉や筐体、家具のパネル等の化粧板等に用いたとしても、ガラスの質感を生かしながら多様な反射色を表現することができないという問題があった。【０００６】
本発明は、ガラスの質感を生かしながら多様な反射色を表現することが可能な化粧板を提供することを主な目的とする。
【課題を解決するための手段】
【０００７】
本発明の化粧板は、ガラス基板と、前記ガラス基板の一方の主面に設けられた金属層と、前記ガラス基板と前記金属層との間に設けられた第一の干渉層とを、備えることを特徴とする。【０００８】
本発明の化粧板では、前記第一の干渉層は、１０ｎｍ以上２００ｎｍ以下の厚みを有することが好ましい。【０００９】
本発明の化粧板では、前記第一の干渉層は、波長５５０ｎｍにおける屈折率が３以上であることが好ましい。【００１０】
本発明の化粧板では、前記第一の干渉層が、珪素からなることが好ましい。【００１１】
本発明の化粧板では、前記第一の干渉層は、１０ｎｍ以上１００ｎｍ以下の厚みを有することが好ましい。【００１２】
本発明の化粧板では、前記第一の干渉層と前記金属層との間に設けられた第二の干渉層をさらに備えることが好ましい。【００１３】
本発明の化粧板では、前記第二の干渉層は、１０ｎｍ以上２００ｎｍ以下の厚みを有することが好ましい。【００１４】
本発明の化粧板では、前記金属層が、Ｔｉ、Ｎｂ、Ｎｉ、Ｃｒ及びＡｌからなる群から選ばれた金属、またはＴｉ、Ｎｂ、Ｎｉ、Ｃｒ及びＡｌからなる群から選ばれた１種以上の金属を含む合金からなることが好ましい。【００１５】
本発明の化粧板では、前記金属層は、５０ｎｍ以上２００ｎｍ以下の厚みを有することが好ましい。
【発明の効果】
【００１６】
本発明によれば、ガラスの質感を生かしながら多様な反射色を表現することが可能な化粧板を提供することができる。
【図面の簡単な説明】
【００１７】
【図１】本発明の一実施形態に係る化粧板の模式的断面図である。
【図２】本発明の別の実施形態に係る化粧板の模式的断面図である。
【図３】本発明の別の実施形態に係る化粧板の模式的断面図である。
【図４】実施例１の化粧板の反射率スペクトルを示した図である。
【図５】実施例２の化粧板の反射率スペクトルを示した図である。
【図６】実施例３の化粧板の反射率スペクトルを示した図である。
【図７】実施例４の化粧板の反射率スペクトルを示した図である。
【図８】実施例５の化粧板の反射率スペクトルを示した図である。
【図９】実施例６の化粧板の反射率スペクトルを示した図である。
【図１０】実施例７の化粧板の反射率スペクトルを示した図である。
【図１１】比較例１の化粧板の反射率スペクトルを示した図である。
【図１２】比較例２の化粧板の反射率スペクトルを示した図である。
【発明を実施するための形態】
【００１８】
以下、本発明を実施した好ましい形態の一例について説明する。但し、下記の実施形態は、単なる例示である。本発明は、下記の実施形態に何ら限定されない。
【００１９】
図１は、本発明の一実施形態に係る化粧板１の模式的断面図である。化粧板１は、ガラス基板２と、ガラス基板２の一方の主面（裏面２ｂ）に設けられた金属層３と、ガラス基板２と金属層３との間に設けられた第一の干渉層４により構成されている。この化粧板１は、ガラス基板２の表面２ａが外側（観者側）を向き、裏面２ｂが内側を向くようにして使用される。
【００２０】
ガラス基板２は、透明なガラスであれば特に限定されず、例えば、シリカガラス、ホウ珪酸ガラス、ソーダライムガラス、無アルカリガラス、強化ガラスが用いられる。特に、耐擦傷性や機械的強度に優れることから、無アルカリガラスや強化ガラスを使用することが好ましい。ガラス基板２の厚みは、特に限定されない。ガラス基板２の厚みは、例えば、０．０１ｍｍ〜３ｍｍ程度とすることができる。なお、ガラス基板２は、剛体であってもよいが、可撓性を有していてもよい。
【００２１】
金属層３は、金属または合金により構成されており、ガラス基板２側から入射した光を反射する機能を有している。金属層３を設けることにより、メタリック調の外観を有する化粧板１が得られる。金属層３は、Ｔｉ、Ｎｂ、Ｎｉ、Ｃｒ及びＡｌからなる群から選ばれた金属、またはＴｉ、Ｎｂ、Ｎｉ、Ｃｒ及びＡｌからなる群から選ばれた１種以上の金属を含む合金からなることが好ましく、Ｔｉ及びＮｂからなる群から選ばれた金属からなることがより好ましい。金属層３を、Ｔｉ及びＮｂからなる群から選ばれた金属から形成することにより、良好な耐熱性が得られる。
【００２２】
金属層３の膜厚は、５０〜２００ｎｍの範囲であることが好ましい。金属層３の膜厚が薄くなり過ぎると、ガラス基板２側から入射した光が反射しにくくなるため、メタリック調の外観を有する化粧板１が得られにくくなる。また、電子機器の筐体などに用いる場合は、その内部構造が視認されやすくなり、化粧板１の美観が損なわれる場合がある。また、金属層３の膜厚が厚くなり過ぎても、それに伴う技術的効果が得られず、経済的に不利になるため好ましくない。
【００２３】
第一の干渉層４は、金属酸化物、金属窒化物、金属酸窒化物または金属により構成されており、ガラス基板２と第一の干渉層４との間の界面において、ガラス基板２側から入射した光の一部を反射する機能を有している。第一の干渉層４により、金属層３（金属層３と第一の干渉層４との間の界面）での反射光とガラス基板２と第一の干渉層４との間の界面での反射光との間で光学的干渉が生じ、金属層３の材質や第一の干渉層４の材質や幾何学的厚みに応じて青系から赤系までの多様な反射色を呈する化粧板１が得られる。なお、反射色は、金属層３と第一の干渉層４との間の界面での反射光とガラス基板２と第一の干渉層４との間の界面での反射光との間の式（１）に示す光路長差、Ｌに応じて決定される。
Ｌ＝２ｎｄ／ｃｏｓθ  ・・・（１）
ここで、ｎは第一の干渉層４の屈折率であり、ｄは第一の干渉層４の幾何学的厚みであり、θはガラス基板２からガラス基板２と第一の干渉層４との間の界面に光が入射したときにおける、ガラス基板２と第一の干渉層４との間の界面からの出射角である。
【００２４】
第一の干渉層４は、１０ｎｍ以上２００ｎｍ以下の幾何学的厚みを有することが好ましく、２０ｎｍ以上１８０ｎｍ以下の幾何学的厚みを有することがより好ましく、２５ｎｍ以上１７０ｎｍ以下の幾何学的厚みを有することがさらに好ましく、３０ｎｍ以上１６０ｎｍ以下の幾何学的厚みを有することが特に好ましい。第一の干渉層４の幾何学的厚みが小さくなりすぎても、大きくなりすぎても、光学的干渉が生じにくくなるため、着色しにくい傾向がある。
【００２５】
第一の干渉層４は、波長５５０ｎｍにおける屈折率が３以上であることが好ましい。波長５５０ｎｍにおける屈折率が３以上であるものとしては、例えば、珪素、ゲルマニウムが挙げられる。第一の干渉層４の波長５５０ｎｍにおける屈折率が３以上と空気の屈折率より非常に大きいと、ガラス基板２から、ある一定の入射角でガラス基板２と第一の干渉層４との間の界面に光が入射したとき、ガラス基板２と第一の干渉層４との間の界面からの出射角、θを大幅に小さくすることができるため、式（１）に示す光路長差、Ｌを小さくすることができる。また、入射角を変化させても、出射角、θの変化量も小さくすることができるため、光路長差の入射角依存性を小さくすることができるようになる。従って、見る角度を変えても化粧板１の反射色が変化しにくくなる。特に、珪素は、可視波長域での減衰係数が小さく、多様な反射色が得られやすいため好ましい。また、第一の干渉層４は、珪素以外にアルミニウムやホウ素等の他の元素を質量％で１５％まで含有しても同様の効果を得ることができる。
【００２６】
第一の干渉層４が波長５５０ｎｍにおける屈折率が３以上であるときは、第一の干渉層４の幾何学的厚みは、１０ｎｍ以上１００ｎｍ以下であることが好ましく、２０ｎｍ以上９０ｎｍ以下であることがより好ましく、２５ｎｍ以上８５ｎｍ以下であることがさらに好ましく、３０ｎｍ以上８０ｎｍ以下であることが特に好ましい。第一の干渉層４の幾何学的厚みが小さくなりすぎると光学的干渉が生じにくくなるため、着色しにくい。一方、第一の干渉層４の幾何学的厚みが大きくなりすぎると、第一の干渉層４における可視光の吸収が大きくなりすぎるため、多様な反射色を表現しづらくなる。
【００２７】
以下、本発明の好ましい実施形態の別の例について説明する。以下の説明において、上記の実施形態と実質的に共通の機能を有する部材を共通の符号で参照し、説明を省略する。
【００２８】
図２は、本発明の別の実施形態に係る化粧板１の模式的断面図である。第一の干渉層４と金属層３との間に第二の干渉層５が設けられている。
【００２９】
第二の干渉層５は、金属酸化物、金属窒化物、金属酸窒化物または金属により構成されており、第一の干渉層４と第二の干渉層５の間の界面において、ガラス基板２側から入射した光の一部を反射する機能を有している。金属層３（金属層３と第二の干渉層５との間の界面）での反射光とガラス基板２と第一の干渉層４との間の界面での反射光に加え、第一の干渉層４と第二の干渉層５の間の界面での反射光との間に光学的干渉が生じるため、さらに多様な反射色を呈する化粧板１が得られる。
【００３０】
第二の干渉層５は、１０ｎｍ以上２００ｎｍ以下の幾何学的厚みを有することが好ましく、２０ｎｍ以上１８０ｎｍ以下の幾何学的厚みを有することがより好ましく、２５ｎｍ以上１７０ｎｍ以下の厚みを幾何学的有することがさらに好ましく、３０ｎｍ以上１６０ｎｍ以下の幾何学的厚みを有することが特に好ましい。第二の干渉層５の幾何学的厚みが小さくなりすぎても、大きくなりすぎても、光学的干渉が生じにくくなるため、着色しにくい傾向がある。
【００３１】
図３は、本発明の別の実施形態に係る化粧板１の模式的断面図である。第一の干渉層４とガラス基板２との間に第三の干渉層６が設けられている。
【００３２】
第三の干渉層６は、金属酸化物、金属窒化物、金属酸窒化物または金属により構成されており、第一の干渉層４と第三の干渉層６の間の界面において、ガラス基板２側から入射した光の一部を反射する機能を有している。金属層３（金属層３と第一の干渉層４との間の界面）での反射光、ガラス基板２と第三の干渉層６との間の界面での反射光及び第一の干渉層４と第三の干渉層６の間の界面での反射光との間に光学的干渉が生じるため、さらに多様な反射色を呈する化粧板１が得られる。
【００３３】
第三の干渉層６は、１０ｎｍ以上２００ｎｍ以下の幾何学的厚みを有することが好ましく、２０ｎｍ以上１８０ｎｍ以下の幾何学的厚みを有することがより好ましく、２５ｎｍ以上１７０ｎｍ以下の厚みを幾何学的有することがさらに好ましく、３０ｎｍ以上１６０ｎｍ以下の幾何学的厚みを有することが特に好ましい。第三の干渉層６の幾何学的厚みが小さくなりすぎても、大きくなりすぎても、光学的干渉が生じにくくなるため、着色しにくい傾向がある。
【００３４】
本発明において、第一の干渉層４と第三の干渉層６との間に第四の干渉層（図示せず）を設けてもよい。第四の干渉層は、金属酸化物、金属窒化物、金属酸窒化物または金属により構成されており、第一の干渉層４と第四の干渉層の間の界面及び第三の干渉層６と第四の干渉層の間の界面において、ガラス基板２側から入射した光の一部を反射する機能を有しており、さらに多様な反射色を呈する化粧板１が得られる。
【００３５】
第四の干渉層は、１０ｎｍ以上２００ｎｍ以下の幾何学的厚みを有することが好ましく、２０ｎｍ以上１８０ｎｍ以下の幾何学的厚みを有することがより好ましく、２５ｎｍ以上１７０ｎｍ以下の厚みを幾何学的有することがさらに好ましく、３０ｎｍ以上１６０ｎｍ以下の幾何学的厚みを有することが特に好ましい。第四の干渉層の幾何学的厚みが小さくなりすぎても、大きくなりすぎても、光学的干渉が生じにくくなるため、多様な反射色を表現しにくい傾向がある。
【００３６】
本発明において、金属層３、第一の干渉層４、第二の干渉層５、第三の干渉層６及び第四の干渉層の形成方法は特に限定されず、それぞれ公知の薄膜形成方法により形成することができる。金属層３、第一の干渉層４、第二の干渉層５、第三の干渉層６及び第四の干渉層の形成方法としては、例えば、スパッタリング法、真空蒸着法、イオンプレーティング法などの物理的蒸着法や化学気相蒸着法（ＣＶＤ：Ｃｈｅｍｉｃａｌ  Ｖａｐｐｏｒ  Ｄｅｐｏｓｉｔｉｏｎ）法等が挙げられる。その中でも、スパッタリング法が好ましく用いられる。
【００３７】
化粧板１には、指紋の付着を防止し、撥水性、撥油性を付与するための防汚膜を、ガラス基板２の他方の主面（表面２ａ）に設けてもよい。
【００３８】
防汚膜は、フッ素含有シラン化合物を防汚膜形成用組成物に含有することが好ましく、フルオロアルキル基またはフルオロアルキルエーテル基を有するシラン化合物溶液をコーティングして作製する。特に、フッ素含有シラン化合物がシラザンもしくはアルコキシシランであることが好ましい。また、前記フルオロアルキル基またはフルオロアルキルエーテル基を有するシラン化合物のなかでも、シラン化合物中のフルオロアルキル基が、Ｓｉ原子１つに対し、１つ以下の割合でＳｉ原子と結合されており、残りは加水分解性基もしくはシロキサン結合基であるシラン化合物が好ましい。ここでいう加水分解性の基としては、例えばアルコキシ基等の基であり、加水分解によりヒドロキシル基となり、それにより前記シラン化合物は重縮合物を形成する。
【実施例】
【００３９】
以下、本発明について、具体的な実施例に基づいて、さらに詳細に説明するが、本発明は以下の実施例に何ら限定されるものではなく、その要旨を変更しない範囲において適宜変更して実施することが可能である。【００４０】
（実施例１）
ソーダライムガラスからなるガラス基板（厚み２ｍｍ）の一方の主面に、表１に示す膜材質を用い、表１に示す幾何学的厚みとなるように、第一の干渉層及び金属層をこの順序でそれぞれスパッタリング法により形成し、実施例１の化粧板を得た。【００４１】
（色調の評価）
得られた化粧板について、ガラス基板側より、分光光度計Ｕ−４１００（日立製）を用い、反射面の法線に対して、入射光の入射角を０°または４５°に設定して、それぞれの正反射率を測定し、反射率スペクトルを得た。図４に、実施例１の化粧板の反射率スペクトルを示す。得られた反射率スペクトルからＪＩＳ  Ｚ  ８７８１−４に規定されたＬ＊ａ＊ｂ＊表色系におけるＤ６５光源を用いたときのＬ＊、ａ＊、ｂ＊の値をそれぞれの入射角について求め、それぞれの入射角におけるａ＊の値の差をΔａ＊として算出し、それぞれの入射角におけるｂ＊の値の差をΔｂ＊として算出した。そして、ΔＣ＊＝（（Δａ＊）２＋（Δｂ＊）２））１/２で定義されるΔＣ＊を算出した。なお、このΔＣ＊の値が小さいほど、色調変化の角度依存性は小さいことになる。これらの結果を表１に示す。【００４２】
（実施例２）
第一の干渉層として、珪素を５５ｎｍの幾何学的厚みとなるようにスパッタリング法により形成したこと以外は上記の実施例１と同様にして化粧板を得た。得られた化粧板について、実施例１と同様に正反射率を測定し、反射率スペクトルを得た。図５に、実施例２の化粧板の反射率スペクトルを示す。得られた反射率スペクトルからＬ＊ａ＊ｂ＊表色系におけるＬ＊、ａ＊、ｂ＊の値をそれぞれの入射角について求め、Δａ＊、Δｂ＊、ΔＣ＊を算出した。これらの結果を表１に示す。【００４３】
（実施例３）
第一の干渉層として、酸化ニオブを１２０ｎｍの幾何学的厚みとなるようにスパッタリング法により形成したこと、さらに、第二の干渉層として、珪素を５０ｎｍの幾何学的厚みとなるようにスパッタリング法により第一の干渉層と金属層との間に形成したこと以外は上記の実施例１と同様にして化粧板を得た。得られた化粧板について、実施例１と同様に正反射率を測定し、反射率スペクトルを得た。図６に、実施例３の化粧板の反射率スペクトルを示す。得られた反射率スペクトルからＬ＊ａ＊ｂ＊表色系におけるＬ＊、ａ＊、ｂ＊の値をそれぞれの入射角について求め、Δａ＊、Δｂ＊、ΔＣ＊を算出した。これらの結果を表１に示す。【００４４】
実施例３の化粧板は、入射角０°におけるａ＊の値は６．６、ｂ＊の値は３５．８であり、入射角４５°におけるａ＊の値は２．４、ｂ＊の値は３０．６であった。ΔＣ＊は、６．７であった。【００４５】
（実施例４）
第一の干渉層として、珪素を５０ｎｍの幾何学的厚みとなるようにスパッタリング法により形成したこと、さらに、第二の干渉層として、酸化ニオブを１２０ｎｍの幾何学的厚みとなるようにスパッタリング法により第一の干渉層と金属層との間に形成したこと以外は上記の実施例１と同様にして化粧板を得た。得られた化粧板について、実施例１と同様に正反射率を測定し、反射率スペクトルを得た。図７に、実施例４の化粧板の反射率スペクトルを示す。得られた反射率スペクトルからＬ＊ａ＊ｂ＊表色系におけるＬ＊、ａ＊、ｂ＊の値をそれぞれの入射角について求め、Δａ＊、Δｂ＊、ΔＣ＊を算出した。これらの結果を表１に示す。【００４６】
（実施例５）
第一の干渉層として、珪素を６６ｎｍの幾何学的厚みとなるようにスパッタリング法により形成したこと、金属層として、ニオブを１００ｎｍの幾何学的厚みとなるようにスパッタリング法により形成したこと、さらに、第三の干渉層として、酸化ニオブを７６ｎｍの幾何学的厚みとなるようにスパッタリング法により第一の干渉層とガラス基板との間に形成したこと以外は上記の実施例１と同様にして化粧板を得た。得られた化粧板について、実施例１と同様に正反射率を測定し、反射率スペクトルを得た。図８に、実施例５の化粧板の反射率スペクトルを示す。得られた反射率スペクトルからＬ＊ａ＊ｂ＊表色系におけるＬ＊、ａ＊、ｂ＊の値をそれぞれの入射角について求め、Δａ＊、Δｂ＊、ΔＣ＊を算出した。これらの結果を表２に示す。【００４７】
（実施例６）
第四の干渉層として、酸化珪素を２６ｎｍの幾何学的厚みとなるようにスパッタリング法により第一の干渉層と第三の干渉層との間に形成したこと以外は上記の実施例５と同様にして化粧板を得た。得られた化粧板について、実施例１と同様に正反射率を測定し、反射率スペクトルを得た。図９に、実施例６の化粧板の反射率スペクトルを示す。得られた反射率スペクトルからＬ＊ａ＊ｂ＊表色系におけるＬ＊、ａ＊、ｂ＊の値をそれぞれの入射角について求め、Δａ＊、Δｂ＊、ΔＣ＊を算出した。これらの結果を表２に示す。【００４８】
（実施例７）
第一の干渉層として、酸化ニオブを３３ｎｍの幾何学的厚みとなるようにスパッタリング法により形成したこと、第二の干渉層として、酸化珪素を１２ｎｍの幾何学的厚みとなるようにスパッタリング法により第一の干渉層と金属層との間に形成したこと、第三の干渉層として、酸化ニオブを４５ｎｍの幾何学的厚みとなるようにスパッタリング法により第一の干渉層とガラス基板との間に形成したこと、さらに、第四の干渉層として、酸化珪素を９１ｎｍの幾何学的厚みとなるようにスパッタリング法により第一の干渉層と第三の干渉層との間に形成したこと以外は上記の実施例５と同様にして化粧板を得た。得られた化粧板について、実施例１と同様に正反射率を測定し、反射率スペクトルを得た。図１０に、実施例７の化粧板の反射率スペクトルを示す。得られた反射率スペクトルからＬ＊ａ＊ｂ＊表色系におけるＬ＊、ａ＊、ｂ＊の値をそれぞれの入射角について求め、Δａ＊、Δｂ＊、ΔＣ＊を算出した。これらの結果を表２に示す。【００４９】
（比較例１）
第一の干渉層、第二の干渉層、第三の干渉層は設けずに、金属層として、チタンを１００ｎｍの幾何学的厚みとなるようにスパッタリング法により形成して、化粧板を得た。得られた化粧板について、実施例１と同様に正反射率を測定し、反射率スペクトルを得た。図１１に、比較例１の化粧板の反射率スペクトルを示す。得られた反射率スペクトルからＬ＊ａ＊ｂ＊表色系におけるＬ＊、ａ＊、ｂ＊の値をそれぞれの入射角について求め、Δａ＊、Δｂ＊、ΔＣ＊を算出した。これらの結果を表２に示す。【００５０】
（比較例２）
金属層として、ニオブを１００ｎｍの幾何学的厚みとなるようにスパッタリング法により形成したこと以外は上記の比較例１と同様にして化粧板を得た。得られた化粧板について、実施例１と同様に正反射率を測定し、反射率スペクトルを得た。図１２に、比較例２の化粧板の反射率スペクトルを示す。得られた反射率スペクトルからＬ＊ａ＊ｂ＊表色系におけるＬ＊、ａ＊、ｂ＊の値をそれぞれの入射角について求め、Δａ＊、Δｂ＊、ΔＣ＊を算出した。これらの結果を表２に示す。【００５１】
【表１】
2018030355.tif 000003
【００５２】
【表２】
2018030355.tif 000004
【００５３】
実施例１〜３の化粧板は、ブラウン系の反射色の外観を有していた。特に実施例２の化粧板は、ΔＣ＊が１．４と小さく、見る角度を変えても、目視では色の変化は認識できなかった。また、実施例４の化粧板は、ワインレッド系の反射色の外観を有していた。また、実施例５の化粧板は、ライトブルー系の反射色の外観を有しているとともに、ΔＣ＊が１．８と小さく、見る角度を変えても、目視では色の変化は認識できなかった。また、実施例６の化粧板は、シャンパンゴールド系の反射色の外観を有しているとともに、ΔＣ＊が１．９と小さく、見る角度を変えても、目視では色の変化は認識できなかった。また、実施例７の化粧板は、ピンク系の反射色の外観を有していた。一方、比較例１，２はいずれもシルバー系の外観であった。
【産業上の利用可能性】
【００５４】
本発明の化粧板は、家具のパネルや白物家電の扉、筐体、等の化粧板等に好適である。
【符号の説明】
【００５５】
１：化粧板
２：ガラス基板
２ａ：表面
２ｂ：裏面
３：金属層
４：第一の干渉層
５：第二の干渉層
６：第三の干渉層
【図１】
2018030355.tif 000005
【図２】
2018030355.tif 000006
【図３】
2018030355.tif 000007
【図４】
2018030355.tif 000008
【図５】
2018030355.tif 000009
【図６】
2018030355.tif 000010
【図７】
2018030355.tif 000011
【図８】
2018030355.tif 000012
【図９】
2018030355.tif 000013
【図１０】
2018030355.tif 000014
【図１１】
2018030355.tif 000015
【図１２】
2018030355.tif 000016
【国際調査報告】
2018030355.tif 000017
2018030355.tif 000018
2018030355.tif 000019
2018030355.tif 000020